(57)【要約】【課題】机上パネル及び液晶アーム等のパーツの机の左右方向任意位置への移動を簡素な構成により実現する。【解決手段】前後方向に対向配置した天板１，１間の間隙に、この間隙内を左右方向（矢印Ａ方向）に移動可能に天板の後端部１ａ，１ａにより支持されてなる、机上パネル５等のパーツを支持するパーツ受け部材４を備えた。【選択図】        図１
2004275314.tif 000002
【特許請求の範囲】
【請求項１】
前後方向に対向配置した天板間の間隙に、この間隙内を左右方向に移動可能に前記天板の後端部により支持されてなる、机上パネル等のパーツを支持する、パーツ受け部材を備えた机。
【請求項２】
天板の後端縁と間隙を空けて左右方向に架設された支持ビームと、この支持ビームにより左右方向に移動可能に支持、又は、前記天板の後端部及び前記支持ビームにより前記間隙内を左右方向に移動可能に支持されてなる、机上パネル等のパーツを支持する、パーツ受け部材を備えた机。
【請求項３】
前記パーツ受け部材の上端位置を前記天板の上面よりも上部位置とすると共に、該パーツ受け部材の前記天板の上面よりも上部位置に、着脱自在又は上下方向に回動可能な配線用カバーを取り付けてなる請求項１又は２記載のパーツ受け部材を備えた机。
【請求項４】
前記配線用カバーを、その前下端部と前記天板の上面との間に間隙を設けるように、前記パーツ受け部材に取り付けてなる請求項３記載のパーツ受け部材を備えた机。
【請求項５】
前記パーツ受け部材の前記左右方向への移動と干渉しない前記天板の後部下方位置に配線ダクトを配設してなる請求項１〜４のいずれかに記載のパーツ受け部材を備えた机。
【発明の詳細な説明】
【０００１】
【発明の属する技術分野】
本発明は、机上パネル及び液晶アーム等のパーツを支持する、パーツ受け部材を備えた机に関わり、更に詳しくは、前記パーツを机の左右方向の任意位置へ移動可能に構成されたパーツ受け部材を備えた机に関するものである。
【０００２】
【従来の技術】
従来のパーツ受け部材を備えた机として、机上パネルを取り付けるための装置とコードの配線装置とを兼用し、外観の悪化を招来することなく机上パネルを取り付けできるようにすると共に、コード出し入れ口を塞ぐためのカバー体を構造を複雑化することなく着脱自在に取り付けできるようにすることを目的とし、配線ダクトの両側板のうち天板寄りの一側板における外面の両端部に、上下一対の挟持片を備えた挟持体を固着し、下部の挟持片に、ハンドル付きの押さえねじを螺合し、上部の挟持片と押さえねじとで、天板の後端縁を挟持することにより、該配線ダクトを天板に取り付け、該配線ダクトの上部のうち前記挟持体の取付箇所と同じ部位に、配線ダクトにおける開口部の上面を横切って延びる水平片を備えた補強部材を固着し、該左右補強部材における水平片の相互間に、前記机上パネルの下端が嵌まる断面上向きコ字状のパネル支持体を、当該パネル支持体を挟んだ前後両側にコードを出し入れ自在なコード出し入れ口が開口するようにして固着し、机上パネルの下端を、前記パネル支持体に着脱自在に装着すると共に、前記天板の上面に延出してなる前カバー体を、その係合片を前記パネル支持体の前側板と前記机上パネルとの隙間に抜き差し自在に装着して前記配線ダクトに対して着脱可能とし、前記前カバー体における後端縁の適宜箇所に、コード挿通孔を切り開き形成してなるもの（特許文献１参照）がある。
【０００３】
【特許文献１】
実公平３−１２２７０号公報（第３−４頁、第１図）
【０００４】
【発明が解決しようとする課題】
以上のような従来のパーツ受け部材を備えた机は、前記目的を達するものであるが、前記のとおり机上パネルを取り付けるための装置とコードの配線装置とを兼用しており、配線ダクトを天板に取り付け、該配線ダクトに前記パネル支持体を固着してなるため、机上パネル及び液晶アーム等のパーツの机の左右方向の任意位置への移動ができないものである。
【０００５】
また、前記のような机上パネルを取り付けるための装置とコードの配線装置とを兼用する構成では、前後方向に対向配置した机間での配線等の受け渡しを容易に行うことができないものである。
【０００６】
さらに、前記パーツ受け部材を備えた机において、着脱可能に構成されるカバー体は、後端縁の適宜箇所にコード挿通孔を切り開き形成してなり、この挿通孔を通して配線を行うものであり、配線のやり直し時等においては前記カバー体の脱着が必要となる。
【０００７】
本発明は、前記のような課題を解決するためになされたものであり、前記パーツの机の左右方向の任意位置への移動を簡素な構成により実現できるパーツ受け部材を備えた机を得ることを目的とする。
【０００８】
また、前後方向に対向配置した机間での配線等の受け渡し、及び、配線のやり直し等が容易なパーツ受け部材を備えた机を得ることを目的とする。
【０００９】
【課題を解決するための手段】
本発明に係るパーツ受け部材を備えた机は、前後方向に対向配置した天板間の間隙に、この間隙内を左右方向に移動可能に前記天板の後端部により支持されてなる、机上パネル等のパーツを支持する、パーツ受け部材を備えたものである。
【００１０】
また、本発明に係るパーツ受け部材を備えた机は、天板の後端縁と間隙を空けて左右方向に架設された支持ビームと、この支持ビームにより左右方向に移動可能に支持、又は、前記天板の後端部及び前記支持ビームにより前記間隙内を左右方向に移動可能に支持されてなる、机上パネル等のパーツを支持する、パーツ受け部材を備えたものである。
【００１１】
ここで、前記パーツ受け部材の上端位置を前記天板の上面よりも上部位置とすると共に、該パーツ受け部材の前記天板の上面よりも上部位置に、着脱自在又は上下方向に回動可能な配線用カバーを取り付けると好ましい。
【００１２】
また、前記配線用カバーを、その前下端部と前記天板の上面との間に間隙を設けるように、前記パーツ受け部材に取り付けると好ましい。
【００１３】
さらに、前記パーツ受け部材の前記左右方向への移動と干渉しない前記天板の後部下方位置に配線ダクトを配設すると好ましい。
【００１４】
【発明の実施の形態】
実施の形態１．
次に本発明の実施の形態１を添付図面に基づき詳細に説明する。図１は、本発明の実施の形態１に係るパーツ受け部材を備えた机を示す斜視図であり、２個の机を対向配置した例を示している。図１において、天板１，１は、各々、その左右端に配設した脚体２，２に取り付けられている天板支持部材３，・・・により支持され、天板１，１間には間隙が空けられている。この間隙には、パーツ受け部材４が、パーツの例として示した机上パネル５を支持しながら、前記間隙内を左右方向（図１中の矢印Ａ方向）に移動可能に天板１，１の後端部により支持されている。
【００１５】
図２は、パーツ受け部材４周りの構成を示す側面図であり、図において、パーツ受け部材４は、支持部材６、支持部材６と固定され机上パネル５等のパーツの受け部７ａを備えた受け部材７、及び、支持部材６と連結され、支持部材６とにより天板１の後端部１ａを挟持する固定部材８，８により構成されている。このような構成により、パーツ受け部材４は、前記のとおり、天板１，１間の間隙Ｂ内を前記左右方向に移動可能となっている。したがって、図２のような簡素な構成により、パーツ受け部材４により支持される机上パネル５及び液晶アーム等のパーツの、前記左右方向の任意位置への移動を実現することができる。ここで、パーツ受け部材４のみを前記左右方向の任意位置へ移動して、この移動後に机上パネル５及び液晶アーム等をパーツ受け部材４に取り付けてもよいし、また、机上パネル５及び液晶アーム等をパーツ受け部材４により支持した状態で、前記左右方向の任意位置へ移動させてもよい。また、机上パネル５等のパーツの幅が広い場合は、３個以上のパーツ受け部材４を用いて該パーツを支持することもできる。
【００１６】
パーツ受け部材４の受け部材７の上端は天板１，１の上面よりも上部位置にあり、この受け部材７には、その前後に配線カバー９，９が、天板１，１の上面よりも上部位置に着脱自在に取り付けられている。また、配線カバー９，９は、その前下端部と天板１，１の上面との間に間隙（図２中のＣ参照）を設けるように、パーツ受け部材４の受け部材７に取り付けられている。さらに、配線カバー９，９は、パーツ受け部材４の受け部材７に枢着され、上下方向に回動可能に（図２中のＤ参照）支持されている。
【００１７】
前記のとおり、パーツ受け部材４の受け部材７の上端は天板１，１の上面よりも上部位置にあるため、この受け部材７により支持される机上パネル５の下端５ａは天板１，１の上面よりも上部位置にあることになる。また、配線カバー９，９は、パーツ受け部材４の受け部材７の天板１，１の上面よりも上部位置に着脱自在に取り付けられている。また、配線カバー９，９は、これら配線カバーの後端縁等に配線用の切り欠きを形成せずに、配線カバー９，９の前下端部と天板１，１の上面との間に前記間隙を設ける共に、前記のとおり上下方向に回動可能に支持されてなるものである。したがって、配線カバー９，９を上方に回動させて該配線カバー９を開けるか、あるいは、配線カバー９，９を取り外すことにより、対向する机間（天板１，１間）では、パーツ受け部材４の受け部材７がある左右方向の位置を除けば、机上パネル５の下端５ａの下部で、直線的に（図２中の矢印Ｅ参照）配線等の受け渡しを行うことができるため、対向する机間（天板１，１間）での配線等の受け渡しの容易化を図ることができる。さらに、配線のやり直し時等においても配線カバー９，９を脱着する必要がない。さらにまた、配線カバー９，９とパーツ受け部材４の受け部材７との枢着部は摺動可能であるため、図１のようにパーツ受け部材４は配線カバー９，９に対して前記左右方向に相対移動可能であり、配線カバー９，９の位置を変えずに、机上パネル５及び液晶アーム等のパーツを前記左右方向に移動することができる。
【００１８】
また、図２において、天板１，１の後部下方には、パーツ受け部材４の前記左右方向への移動と干渉しない位置に、配線ダクト１０が配設されており、この配線ダクト１０を利用して配線の収納及びコンセントの配設等を行うことができる。
【００１９】
図１において、脚体２は、脚柱２ａ，２ａ及びこれら脚柱の上部間に架設した横架ビーム２ｂ並びに横架ビーム２ｂ下部に配設され脚柱２ａ，２ａと連結されたサイド幕板２ｃにより構成されている。図３はサイド幕板２ｃと脚柱２ａとの連結構造の例を示す説明図であり、図３（ａ）はサイド幕板２ｃと連結部材との取付構造を示す斜視図、図３（ｂ）はサイド幕板２ｃと脚柱２ａとの連結状態を示す平面断面図である。図３（ａ）のようにサイド幕板２ｃにボルト１４により取り付けられた連結部材１２及び１３を、図３（ｂ）のように脚支柱２ａに形成された溝部１１に係合させて、ボルト１４を締めることにより、連結部材１３に形成されたねじ部１３ａがボルト１４の頭部側に引き寄せられる。したがって、ボルト１４を締めることにより連結部材１２及び１３の間隔が広がるため（図３（ｂ）中の矢印Ｆ参照）、サイド幕板２ｃは脚柱２ａ，２ａと連結固定される。このような連結手段（連結部材１２及び１３並びにボルト１４）により、サイド幕板２ｃと脚柱２ａ，２ａとの連結を容易に行うことができる。なお、脚体２はサイド幕板２ｃを取り付けない状態でも使用することができる。
【００２０】
図４は、机上仕切パネル１５を設けた構成例を示す斜視図であり、図において、机上仕切パネル１５は、机上パネル５の上端部に掛止する金具１６により机上パネル５に固定されている。机上パネル５は、前記左右方向に移動可能であるため、机上仕切パネル１５も前記左右方向の適宜位置に移動することができる。さらに、机上仕切パネル１５のみを前記左右方向に移動することもできる（図４中の矢印Ｇ参照）。また、机上仕切パネル１５は、机上パネル５の上端部に掛止する金具１６により机上パネル５に固定せずに、例えば天板１の前端部に掛止する図示しない金具を用いて天板１と固定することもできる。
【００２１】
以上においては、本発明の実施の形態１に係るパーツ受け部材を備えた机の例として、２個の机を対向配置した対面型レイアウトについて説明したが、本発明の実施の形態１に係るパーツ受け部材を備えた机は、このような適用例に限定されるものではない。すなわち、本発明の実施の形態１に係るパーツ受け部材を備えた机は、対向配置した机を左右に並設してなる対面フリーアドレス型レイアウト及び対面Ｌ型レイアウト等における、天板間に間隙を空けて配設する構成に容易に適用することができる。
【００２２】
実施の形態２．
次に本発明の実施の形態２を添付図面に基づき詳細に説明する。図５は、本発明の実施の形態２に係るパーツ受け部材を備えた机を示す斜視図であり、机を単独配置した例を示している。図５において、天板１は、その左右端に配設した脚体２，２に取り付けられている天板支持部材３，・・・により支持されており、天板１の後部には、支持ビーム１７が天板１の後端縁１ａと間隙を空けて左右方向に架設されている。支持ビーム１７はその左右端を支持ビーム受け１８，１８により支持され、支持ビーム受け１８，１８は脚柱１ａ，１ａの上端に固定されている。なお、支持ビーム受け１８は、該支持ビーム受け１８を取り付ける脚柱１ａ上端のキャップを兼ねているが、支持ビーム受け１８を該キャップと別部品としてもよい。また、パーツ受け部材１９は、パーツの例として示した机上パネル５を支持しながら、左右方向（図５中矢印Ａ方向）に移動可能に支持ビーム１７により支持されている。
【００２３】
図６は、パーツ受け部材１９周りの構成を示す側面部分断面図であり、図において、パーツ受け部材１９は、支持部材２０及び机上パネル５等のパーツの受け部２１ａを備えた受け部材２１により構成されている。なお、受け部材２１は実施の形態１の受け部材７と同じ形状のものを採用している。受け部材２１側からボルト２２を挿入して、支持部材２０に形成したねじ部２０ａに該ボルト２２を螺着して、このボルト２２を締めることにより、支持部材２０及び受け部材２１が、天板１の後端縁１ａと間隙Ｈを空けて左右方向に架設されてなる支持ビーム１７と固定される。また、パーツ受け部材１９を左右方向（図５中矢印Ａ方向）に移動する場合は、ボルト２２を緩め、移動後にボルト２２を締めればよい。このような構成により、パーツ受け部材１９は、前記左右方向に移動可能となっている。したがって、図６のような簡素な構成により、パーツ受け部材１９により支持される机上パネル５及び液晶アーム等のパーツの、前記左右方向の任意位置への移動を実現することができる。ここで、パーツ受け部材１９のみを前記左右方向の任意位置へ移動して、この移動後に机上パネル５及び液晶アーム等をパーツ受け部材１９に取り付けてもよいし、また、机上パネル５及び液晶アーム等をパーツ受け部材１９により支持した状態で、前記左右方向の任意位置へ移動させてもよい。また、机上パネル５等のパーツの幅が広い場合は、３個以上のパーツ受け部材１９を用いて該パーツを支持することもできる。
【００２４】
パーツ受け部材１９の受け部材２１の上端は天板１の上面よりも上部位置にあり、この受け部材２１には、配線カバー９が、天板１の上面よりも上部位置に着脱自在に取り付けられている。また、配線カバー９は、その前下端部と天板１の上面との間に間隙（図６中のＣ参照）を設けるように、パーツ受け部材１９の受け部材２１に取り付けられている。さらに、配線カバー９は、パーツ受け部材１９の受け部材２１に枢着され、上下方向に回動可能に（図６中のＤ参照）支持されている。
【００２５】
したがって、実施の形態１と同様に、天板１と机上パネル５後部との配線等の受け渡し（図６中の矢印Ｅ参照）の容易化を図ることができる。さらに、配線のやり直し時等においても配線カバー９を脱着する必要がない。さらにまた、配線カバー９とパーツ受け部材１９の受け部材２１との枢着部は摺動可能であるため、パーツ受け部材１９は配線カバー９に対して前記左右方向に相対移動可能であり、図５のように配線カバー９の位置を変えずに、机上パネル５及び液晶アーム等のパーツを前記左右方向に移動することができる。
【００２６】
また、図６において、天板１の後部下方には、パーツ受け部材１９の前記左右方向への移動と干渉しない位置に、配線ダクト２３が配設されており、この配線ダクト２３を利用して配線の収納及びコンセントの配設等を行うことができる。
【００２７】
以上の説明においては、パーツ受け部材１９が天板１の後端縁１ａと間隙Ｈを空けて左右方向に架設された支持ビーム１７に支持される構成を示したが、パーツ受け部材１９は、例えば実施の形態１においてパーツ受け部材４が天板１，１の後端部により支持されるのと同様に、天板１の後端部及び支持ビーム１７により支持される構成としてもよい。
【００２８】
以上においては、本発明の実施の形態２に係るパーツ受け部材を備えた机の例として、机を単独配置した場合について説明したが、本発明の実施の形態２に係るパーツ受け部材を備えた机は、このような適用例に限定されるものではない。すなわち、本発明の実施の形態２に係るパーツ受け部材を備えた机は、机を左右に並設してなる片面フリーアドレス型レイアウト等にも適用することができる。例えば、左右の天板１，１を密着させて机を左右に２個並設し、左側の机の左側の脚体の後部の脚柱１ａに固定された支持ビーム受け１８により支持ビーム１７の左端を支持し、右側の机の右側の脚体の後部の脚柱１ａに固定された支持ビーム受け１８により支持ビーム１７の右端を支持することにより、左右の天板１，１の後部に支持ビーム１７を架設して、この支持ビーム１７によりパーツ受け部材１９を支持することにより、左右に並設した机の後部の左右方向の任意位置へ該パーツ受け部材１９を移動させることができ、したがって、机上パネル５及び液晶アーム等のパーツを左右に並設した机の後部の左右方向の任意位置へ移動させて使用することができる。
【００２９】
さらに、実施の形態２のような支持ビーム１７を架設して、この支持ビーム１７を用いてパーツ受け部材１９を支持する構成は、実施の形態１で説明したような対面型レイアウトに適用することもできる。
【００３０】
なお、本明細書における「机」には、いわゆるテーブルの概念も含むものである。
【００３１】
【発明の効果】
この発明に係るパーツ受け部材を備えた机は、以上説明したように構成されているので、以下に示すような効果を奏する。
【００３２】
請求項１及び２に係る発明によれば、机上パネル及び液晶アーム等のパーツの机の左右方向の任意位置への移動を簡素な構成により実現することができる。
【００３３】
また、請求項３及び４に係る発明によれば、請求項１及び２の効果に加え、対向する天板間の配線等の受け渡し又は天板と机上パネルの後部間の配線等の受け渡しを容易に行うことができる。
【００３４】
さらに、請求項５に係る発明によれば、請求項１〜４の効果に加え、パーツ受け部材の左右方向への移動と干渉しない天板の後部下方位置に配設した配線ダクトを利用して、配線の収納及びコンセントの配設等を行うことができる。
【図面の簡単な説明】
【図１】本発明の実施の形態１に係るパーツ受け部材を備えた机の例を示す斜視図である。
【図２】パーツ受け部材４周りの構成を示す側面図である。
【図３】サイド幕板２ｃと脚柱２ａとの連結構造の例を示す説明図であり、（ａ）はサイド幕板２ｃと連結部材との取付構造を示す斜視図、（ｂ）はサイド幕板２ｃと脚柱２ａとの連結状態を示す平面断面図である。
【図４】机上仕切パネル１５を設けた構成例を示す斜視図である。
【図５】本発明の実施の形態２に係るパーツ受け部材を備えた机の例を示す斜視図である。
【図６】パーツ受け部材１９周りの構成を示す側面部分断面図である。
【符号の説明】
Ａ  左右方向
Ｂ，Ｈ  間隙
１  天板
２  脚体
３  天板支持部材
４  パーツ受け部材
５  机上パネル
６  支持部材
７  受け部材
８  固定部材
９  配線カバー
１０  配線ダクト
１５  机上仕切パネル
１７  支持ビーム
１８  支持ビーム受け
１９  パーツ受け部材
２０  支持部材
２１  受け部材
２３  配線ダクト
【図１】
2004275314.tif 000003
【図２】
2004275314.tif 000004
【図３】
2004275314.tif 000005
【図４】
2004275314.tif 000006
【図５】
2004275314.tif 000007
【図６】
2004275314.tif 000008